(57)【特許請求の範囲】
【請求項１】
電極筒と集電極を対としてハウジング内に収納した検出器を一対別個に且つ相互間或いは近辺の外部電磁波による影響を受けないように備えており、後端にはファンが備えられており、該ファンの作動によりハウジング内に空気を吸引し、該空気に含まれている正負のイオンを、正又は負の極性に印加されている電極筒・集電極の対に当接させ、集電極に吸着された正又は負のイオン数に対応した電流値を取り出し、これを電流電圧変換及びＡ／Ｄ変換してマイクロコンピュータに情報として入力・演算させて、正イオン数、負イオン数、総和イオン数、及び／又は正負イオン数の差としてモノクロないしカラーでディジタルないしグラフィック表示する構成であり、
同一場所の極限位置の空気を取り込む１本の空気導入管と、該空気導入管に続いて設けられる２本の等長の分岐管とで構成され、且つ内側を通過する空気に含まれる正負イオンに影響を与えない素材で構成された空気取入ユニットが、前記ハウジングの前面に配置され、
該空気取入ユニットの２本の等長の分岐管のそれぞれの端部が、前記それぞれのハウジングの入口に接続され、正負イオンを含む空気を前記一対のハウジングのそれぞれに同一の条件の下での同時測定が可能となるように送り込む構成であることを特徴とする正負イオン量測定装置。
【発明の詳細な説明】
【０００１】
【発明の属する技術分野】
本発明は、正負イオン量測定装置に関する。更に詳しくは、同一場所において大気中に含まれる正負イオン量を測定し、正負それぞれのイオン量並びに正負イオン量の差を連続表示するイオン量測定装置に関する。
【０００２】
【従来の技術】
従来の正負イオン量測定装置では、電極に対する印加電力の極性を切り替えることにより、正と負のイオンを別々に測定する方式が行なわれていた。
【０００３】
特開平８−６２１８０号公報には、正負のイオン量を同時に測定することができる装置が開示されている。
【０００４】
上記は何れもイオン発生装置により発生させたイオンの正負バランスを測定するのに利用するものであり、一般的な大気中のイオン状態を測定するものではない。
【０００５】
【発明が解決しようとする課題】
室内外の大気中のイオン状態を知るには、正負のイオン量を同時に検出できるように構成する外、測定位置が極限されない必要がある。
【０００６】
前記した電極の極性を切り替える方式は、正負のイオン量を同時に測定するものではなく、例えば正イオンの測定時には負イオンの測定は行なわれていないので、生成と消滅とを刻々と繰り返している大気中の正負イオン量を同時に測定する装置としては不適格である。
【０００７】
また、前記した特開平８−６２１８０号公報に示されている装置は、イオン発生装置の前面に配置して、イオン発生装置から排出されるイオン風を電極に当接させて正負イオン量を測定するものであり、大気中に偏在する正負のイオン量を測定することに利用するには適していない。特に、この装置では、絶縁材料から成るフレームの同一平面上に、分離した状態で或いは渦巻き状に２つの電極板を配置する構造を採用しているので、同公報［０００４］で指定しているように、イオン風（イオン化エアー）の吹き付け方によっては、依然として測定したデータにバラツキが発生する問題点を残している。
【０００８】
本発明は、上記に鑑み、どの位置の大気であっても自由な位置で正負のイオン量を同時に、しかもデータにバラツキを生じさせることなく測定することができる、正負イオン量測定装置を明らかにすることを課題とする。
【０００９】
【課題を解決するための手段】
本発明に係る正負イオン量測定装置は、電極筒と集電極を対としてハウジング内に収納した検出器を一対別個に且つ相互間或いは近辺の外部電磁波による影響を受けないように備えており、後端にはファンが備えられており、該ファンの作動によりハウジング内に空気を吸引し、該空気に含まれている正負のイオンを、正又は負の極性に印加されている電極筒・集電極の対に当接させ、集電極に吸着された正又は負のイオン数に対応した電流値を取り出し、これを電流電圧変換及びＡ／Ｄ変換してマイクロコンピュータに情報として入力・演算させて、正イオン数、負イオン数、総和イオン数、及び／又は正負イオン数の差としてモノクロないしカラーでディジタルないしグラフィック表示する構成であり、
同一場所の極限位置の空気を取り込む１本の空気導入管と、該空気導入管に続いて設けられる２本の等長の分岐管とで構成され、且つ内側を通過する空気に含まれる正負イオンに影響を与えない素材で構成された空気取入ユニットが、前記ハウジングの前面に配置され、
該空気取入ユニットの２本の等長の分岐管のそれぞれの端部が、前記それぞれのハウジングの入口に接続され、正負イオンを含む空気を前記一対のハウジングのそれぞれに同一の条件の下での同時測定が可能となるように送り込む構成であることを特徴とする。
【００１０】
【発明の実施の形態】
次に添付の図面に従って、本発明に係る正負イオン量測定装置を説明する。
【００１１】
図１において、１０・２０は検出器であり、それぞれ金属製ないしプラスチック製のハウジング１１・２１の内部には、絶縁リングに支持された電極筒１２・２２と絶縁支柱に支持された集電極１３・２３とが装備されており、ファン１４・２４の回転操作に従って、入口１５・２５より大気が吸引される後端側に排出される構造となっている。ハウジング１１・２１のそれぞれの入口１５・２５はキャップ１６・２６により遮蔽可能となっている。
【００１２】
ファン１４・２４は同一仕事量になるよう調整されている。
【００１３】
電極筒１２と集電極１３、電極筒２２と集電極２３とは、それぞれ一対として配置されており、それぞれ印加される電極が異なっている。電極筒１２を正に印加する場合には、集電極１３は負、電極筒２２は負、集電極２３は正に印加される。ファン１４・２４の回転により空気が吸引されると、この空気に含まれている正イオンは負の集電極１３に吸着され、負イオンは集電極１３に吸着されずに通過し、負イオンは正の集電極２３に吸着され、正イオンは正の集電極２３に吸着されずに通過する。イオンの吸着量によって集電極１３・２３に流れる電流値に差が生じることから、それぞれの電流値は、電流電圧変換回路、自動ゼロ調回路、Ａ／Ｄ変換回路を介して、マイクロコンピュータに情報として入力される。マイクロコンピュータでは、種々の演算が行なわれ、正イオン数、負イオン数、総和イオン数、及び／又は正負イオン数の差等が、モノクロ或いはカラーでディジタル表示ないしグラフィック表示される。
【００１４】
電極筒１２と集電極１３、電極筒２２と集電極２３とは、それぞれ一対としてハウジング１１・２１に収納されており、相互間或いは近辺の外部電磁波による影響を受けないよう構成されている。
【００１５】
ゼロ調整は、ファン１４・２４を停止し、入口１５・２５をキャップ１６・２６により遮蔽することにより、正負イオン共に同一の条件の下で行なうことができる。ゼロ調整後、キャップ１６・２６を外し、ファン１４・２４を作動させれば、正負イオンを同一条件下で測定することが可能である。
【００１６】
図面の表現上、ハウジング１０と２０とは離れた状態で示されているが、実際の装置では、少なくともハウジング１１・２１の入口１５・２５とは、可能な限り近接して配置される。入口１５・２５とが大きく離れた位置に配置されることは、取り込む空気（測定する空気）が「同一場所の空気である」という条件を満足させないことになり、好ましくない。
【００１７】
更に本発明では、図２に示すように、ハウジング１１・２１の前面に空気取入ユニット３０が配置される。この空気取入ユニット３０は、空気導入管３１と分岐管３２・３３とで構成されており、分岐管３２・３３のそれぞれには、必要に応じてバルブ３４・３５が配置されている。分岐管３２・３３の端部には、図１に示した装置のハウジング１１・２１の入口１５・２５に接合するための接続ないし固定機構３６が用意されている。尚、この接続（固定）機構３６は、図１に示したハウジング１１・２１の入口１５・２５の部分に用意しておいてもよい。また、空気取入ユニット３０を予めハウジング１１・２１と一体に形成しておく態様であってもよい。
【００１８】
バルブ３４・３５としては、例えば、手動開閉方式或いは電動開閉方式の各種のバルブが利用され、２つのバルブは同期して或いは単独して作動させることができるよう構成されている。即ち、バルブ３４・３５の両者を同時に開状態或いは閉状態に操作すること、或いは、例えばバルブ３４を開状態に或いはバルブ３５を閉状態に両者を別々に操作することができる構成となっている。
【００１９】
バルブ３４・３５の構成・機能は、例えば３方向弁のように空気通路の切り替えによっても行なうことができる。
【００２０】
空気取入ユニット３０を形成する部材及びバルブ３４・３５ないし切り替え弁等は、内側を通過する空気に含まれる正負イオンに何等かの影響（例えば吸着）を与えないような素材で構成する。
【００２１】
上記した空気取入ユニット３０を利用することにより、極限位置の空気を取り込んで、その空気に含まれている正負のイオン量を同時に測定することが可能となる。
【００２２】
【発明の効果】
本発明に係る正負イオン量測定装置によれば、任意に選択した同一場所の大気を吸引してその大気中に含まれる正負のイオン量を同時に測定し表示することが可能であり、頭記した課題が解決される。特に、単に正負イオン量を同時に測定できるだけでなく、測定する空気の取り入れを極限位置に設定することができるので、大気中の任意の場所に局在（偏在）する正負イオン量を正確に測定することができる利点がある。
【図面の簡単な説明】
【図１】本発明の１実施例を示す概略図
【図２】空気取入ユニットの１実施例を示す概略図
【符号の説明】
１０−検出器
１１−ハウジング
１２−電極筒
１３−集電極
１４−ファン
１５−入口
１６−キャップ
２０−検出器
２１−ハウジング
２２−電極筒
２３−集電極
２４−ファン
２５−入口
２６−キャップ
３０−空気取入ユニット
３１−空気導入管
３２−分岐管
３３−分岐管
３４−バルブ
３５−バルブ
３６−接続（固定）機構
【図１】
0004412764.tif 000002
【図２】
0004412764.tif 000003